(57)【要約】【課題】  出力する呼出信号の波形が崩れない呼出信号送出回路を提供する。【解決手段】  第１プッシュプルエミッタフォロワ回路１の出力端子Ａと、第２プッシュプルエミッタフォロワ回路２の出力端子Ｂとは電話機１００に接続されている。第１プッシュプルエミッタフォロワ回路１の共通ベースはトランジスタＴＲ５を介して所定の矩形波が入力されるコントロール端子ＣＮＴ１に接続され、第２プッシュプルエミッタフォロワ回路２の共通ベースはトランジスタＴＲ５を介して一定電圧が入力されるコントロール端子ＣＮＴ２に接続されている。この第２プッシュプルエミッタフォロワ回路２のトランジスタＴＲ３のエミッタ−コレクタ間にアノードをコレクタ側とするダイオードＤ１を接続し、トランジスタＴＲ４のエミッタ−コレクタ間にカソードをコレクタ側とするダイオードＤ２を接続する。【選択図】  図１
2005109656.tif 000002
【特許請求の範囲】
【請求項１】
逆極性の２つのトランジスタのエミッタ同士およびベース同士がそれぞれ共通接続され、一方のトランジスタのコレクタに呼出信号用高電圧が印加され、他方のトランジスタのコレクタを基準電位に接続し、前記エミッタの共通接続部を出力端子とする、第１、第２のプッシュプルエミッタフォロワ回路と、
前記第１のプッシュプルエミッタフォロワ回路のトランジスタのオン・オフ制御を行い、前記第１のプッシュプルエミッタフォロワ回路の出力端子を前記呼出信号用高電圧による高電位と前記基準電位とに交互に導通させる第１スイッチ回路と、
前記第２のプッシュプルエミッタフォロワ回路の一方のトランジスタを導通させて、前記第２のプッシュプルエミッタフォロワ回路の出力端子を前記基準電位に導通させる第２スイッチ回路と、を備えた呼出信号送出回路において、
前記第１、第２プッシュプルエミッタフォロワ回路を構成する４つのトランジスタの少なくとも１つのエミッタ−コレクタ間にダイオードが接続されていることを特徴とする呼出信号送出回路。
【請求項２】
前記呼出信号用高電圧が印加されるトランジスタがＰＮＰ型トランジスタであり、前記基準電位に接続されるトランジスタがＮＰＮ型トランジスタであり、
前記第２プッシュプルエミッタフォロワ回路の前記呼出信号用高電圧が印加されるトランジスタのエミッタ−コレクタ間にコレクタ側をアノードとするダイオードが接続されているか、または前記基準電位に接続されたトランジスタのエミッタ−コレクタ間にエミッタ側をアノードとするダイオードが接続されていることを特徴とする請求項１に記載の呼出信号送出回路。
【発明の詳細な説明】
【技術分野】
【０００１】
この発明は、呼出信号送出回路、特に電話交換機等に用いられる呼出信号送出回路に関するものである。
【背景技術】
【０００２】
従来の呼出信号送出回路について図を参照して説明する。
【０００３】
図４は、従来の呼出信号送出回路の回路図である。
【０００４】
互いに極性の異なるＰＮＰ型トランジスタＴＲ１とＮＰＮ型トランジスタＴＲ２のエミッタ同士が共通接続されて出力端子Ａが形成されており、トランジスタＴＲ１，ＴＲ２のベース同士も共通接続されている。
【０００５】
トランジスタＴＲ１のコレクタには−２００Ｖの直流高電圧が印加される直流高電圧入力端子ＶＤＣが接続されており、トランジスタＴＲ２のコレクタは接地されている。これらトランジスタＴＲ１とトランジスタＴＲ２と出力端子Ａとにより第１のプッシュプルエミッタフォロワ回路１が構成されている。
【０００６】
共通接続されたベースは抵抗素子Ｒ２を介して、第１のプッシュプルエミッタフォロワ回路１の制御用であるＰＮＰ型トランジスタＴＲ５のコレクタに接続されている。このトランジスタＴＲ５のエミッタには、＋５Ｖの直流電圧が印加される駆動電源端子Ｖｃｃが接続されており、ベースにはコントロール端子ＣＮＴ１が接続されている。さらに、トランジスタＴＲ５のコレクタと直流高電圧入力端子ＶＤＣとの間には抵抗素子Ｒ１が接続されている。
【０００７】
また、互いに極性の異なるＰＮＰ型トランジスタＴＲ３とＮＰＮ型トランジスタＴＲ４のエミッタ同士が共通接続されて出力端子Ｂが形成されており、トランジスタＴＲ３，ＴＲ４のベース同士も共通接続されている。
【０００８】
トランジスタＴＲ３のコレクタには−２００Ｖの直流高電圧が印加される前記直流高電圧入力端子ＶＤＣが接続されており、トランジスタＴＲ４のコレクタは接地されている。これらトランジスタＴＲ３とトランジスタＴＲ４と出力端子Ｂとにより第２のプッシュプルエミッタフォロワ回路２が構成されている。
【０００９】
共通接続されたベースは抵抗素子Ｒ４を介して、第２のプッシュプルエミッタフォロワ回路２の制御用であるＰＮＰ型トランジスタＴＲ６のコレクタに接続されている。このトランジスタＴＲ６のエミッタには、＋５Ｖの直流電圧が印加される駆動電源端子Ｖｃｃが接続されており、ベースにはコントロール端子ＣＮＴ２が接続されている。さらに、トランジスタＴＲ６のコレクタと直流高電圧入力端子ＶＤＣとの間には抵抗素子Ｒ３が接続されている。
【００１０】
そして、この呼出信号送出回路の出力端子Ａと出力端子Ｂとの間に、電話機１００等の呼出対象機器が接続される。
【００１１】
このような呼出信号送出回路では、コントロール端子ＣＮＴ２に０電圧のコントロール信号が入力されると、トランジスタＴＲ６がオン状態となるので、トランジスタＴＲ３がオフ状態となり、トランジスタＴＲ４がオン状態となる。この結果、出力端子Ｂと接地とが導通し、出力端子Ｂと直流高電圧入力端子ＶＤＣとの間が開放になるので、出力端子Ｂの電位は接地電位すなわち０電位となる。
【００１２】
一方、コントロール端子ＣＮＴ１には、電話機１００に呼出信号を与える際、正電圧（例えば、＋５Ｖ）と０電圧とを所定周波数（例えば、１６Ｈｚ）で繰り返す矩形波のコントロール信号が入力され、トランジスタＴＲ５はこの矩形波のコントロール信号に応じてオン・オフ動作を繰り返す。
【００１３】
ここで、コントロール端子ＣＮＴ１に正電圧が入力されてトランジスタＴＲ５がオフ状態になると、トランジスタＴＲ１がオン状態となり、トランジスタＴＲ２がオフ状態となる。この結果、出力端子Ａは直流高電圧入力端子ＶＤＣと導通し、出力端子Ａに−２００Ｖの直流電圧が供給される。一方、コントロール端子ＣＮＴ１に０電圧が入力されてトランジスタＴＲ５がオン状態になると、トランジスタＴＲ１がオフ状態となり、トランジスタＴＲ２がオン状態となる。この結果、出力端子Ａは接地され、出力端子Ａに０電圧が供給されることとなる。
【００１４】
すなわち、コントロール端子ＣＮＴ１に前記矩形波のコントロール信号が入力されることにより、出力端子Ａからは、前記コントロール信号と同じ周波数で−２００Ｖと０Ｖとを繰り返す矩形波が出力される。ここで、出力端子Ｂは常時接地されている（０電圧である）ので、結果として出力端子Ａ−Ｂ間には電位差２００Ｖと０Ｖとを繰り返す呼出信号が供給されることとなる。
【００１５】
なお、コントロール端子ＣＮＴ２に０電圧を印加するのではなく、一定の正電圧を印加してもよい。コントロール端子ＣＮＴ２に正電圧のコントロール信号が入力されると、トランジスタＴＲ６がオフ状態となる。これに応じて、トランジスタＴＲ３がオン状態となり、トランジスタＴＲ４がオフ状態となる。この結果、出力端子Ｂと直流高電圧入力端子ＶＤＣとが導通し、出力端子Ｂの電位は−２００Ｖで一定となる。この場合、コントロール端子ＣＮＴ１には前述の場合と同じ矩形波のコントロール信号が入力されているので、出力端子Ａからは−２００Ｖと０Ｖとを繰り返す矩形波が出力される。この結果、出力端子Ａ−Ｂ間には電位差２００Ｖと０Ｖとを繰り返す呼出信号が供給されることとなる。
そして、電話機１００はこの出力端子Ａ−Ｂ間の電位差による呼出信号に応じて呼び出し音を発生する（例えば、特許文献１参照）。
【特許文献１】特開２０００−２３２５１２公報
【発明の開示】
【発明が解決しようとする課題】
【００１６】
ところが、前述の従来の呼出信号送出回路では、出力端子Ａ−Ｂ間に特定の電話機が接続された場合、図５および図６に示すように出力端子Ａ，Ｂから出力される電圧波形が崩れる。
【００１７】
図５はコントロール端子ＣＮＴ２に０電圧を印加した場合の出力端子Ａおよび出力端子Ｂの出力電圧波形図であり、図６はコントロール端子ＣＮＴ２に正電圧（＋５Ｖ）を印加した場合の出力端子Ａおよび出力端子Ｂの出力電圧波形図である。なお、本波形図に示す特性の観測に当たり直流高電圧入力端子ＶＤＣに印加した電圧は−１７５Ｖとした。
【００１８】
コントロール端子ＣＮＴ２に０電圧を印加した場合、図５に示すように、出力端子Ａの電位は、−１７５Ｖから０Ｖに立ち上がる途中に極大点が発生する。また、コントロール端子ＣＮＴ２に＋５Ｖの電圧を印加した場合、図６に示すように、出力端子Ａの電位は、０電位から負電位側に立ち下がる前の所定時間に亘り約２０Ｖ電位が低下する。また、前記出力端子Ａの電位が低下する時点で、出力端子Ｂの電位が−１７５Ｖから０Ｖに上昇するとともに、出力端子Ａの電位が上昇する時点で出力端子Ｂの電位が一時的に上昇し、０電位に下降する。
【００１９】
このような波形の崩れが発生すると、例えば、発信元の電話番号情報などを表示する電話機等の表示器に情報を表示出力する場合に不具合が生じてしまう。
【００２０】
この発明の目的は、出力端子に接続される電話機の特性によらず、出力する呼出信号の波形が崩れない呼出信号送出回路を提供することにある。
【課題を解決するための手段】
【００２１】
この発明は、逆極性の２つのトランジスタのエミッタ同士およびベース同士がそれぞれ共通接続され、一方のトランジスタのコレクタに呼出信号用高電圧が印加され、他方のトランジスタのコレクタを基準電位に接続し、前記エミッタの共通接続部を出力端子とする、第１、第２のプッシュプルエミッタフォロワ回路と、第１のプッシュプルエミッタフォロワ回路のトランジスタのオン・オフ制御を行い、第１のプッシュプルエミッタフォロワ回路の出力端子を呼出信号用高電圧による高電位と基準電位とに交互に導通させる第１スイッチ回路と、第２のプッシュプルエミッタフォロワ回路の一方のトランジスタを導通させて、第２のプッシュプルエミッタフォロワ回路の出力端子を基準電位に導通させる第２スイッチ回路と、を備えた呼出信号送出回路において、第１、第２プッシュプルエミッタフォロワ回路を構成する４つのトランジスタの少なくとも１つのエミッタ−コレクタ間にダイオードを接続したことを特徴としている。
【００２２】
また、この発明は、呼出信号用高電圧が印加されるトランジスタをＰＮＰ型トランジスタとし、基準電位に接続されるトランジスタをＮＰＮ型トランジスタとし、第２プッシュプルエミッタフォロワ回路の呼出信号用高電圧が印加されるトランジスタのエミッタ−コレクタ間にコレクタ側をアノードとするダイオードを接続するか、または基準電位に接続されたトランジスタのエミッタ−コレクタ間にエミッタ側をアノードとするダイオードを接続することを特徴としている。
【００２３】
この構成では、所定のトランジスタにダイオードが接続されることにより、各プッシュプルエミッタフォロワ回路から出力される出力電圧の波形が崩れない、すなわち、出力電圧が歪まない。
【発明の効果】
【００２４】
この発明によれば、呼出対象機器である電話機に接続する２つのプッシュプルエミッタフォロワ回路の出力電圧波形が崩れないので、これらの出力電圧の差分値である電話機への呼出信号の波形が崩れない。これにより電話機の表示制御の不具合を防止することができる。
【発明を実施するための最良の形態】
【００２５】
本発明の実施形態に係る呼出信号送出回路について、図１〜３を参照して説明する。
【００２６】
図１は、本実施形態の呼出信号送出回路の等価回路図である。
【００２７】
互いに極性の異なるＰＮＰ型トランジスタＴＲ１のエミッタとＮＰＮ型トランジスタＴＲ２のエミッタとは共通接続されて出力端子Ａが形成されており、トランジスタＴＲ１，ＴＲ２の各ベースも共通接続されている。
【００２８】
トランジスタＴＲ１のコレクタには−２００Ｖの直流高電圧が印加される直流高電圧入力端子ＶＤＣが接続されており、トランジスタＴＲ２のコレクタは接地されている。これらトランジスタＴＲ１とトランジスタＴＲ２と出力端子Ａとにより第１のプッシュプルエミッタフォロワ回路１が構成されている。
【００２９】
共通接続されたベースは抵抗素子Ｒ２を介して、第１のプッシュプルエミッタフォロワ回路１の制御用であるＰＮＰ型トランジスタＴＲ５のコレクタに接続されている。このトランジスタＴＲ５のエミッタには、＋５Ｖの直流電圧が印加される駆動電源端子Ｖｃｃが接続されており、ベースにはコントロール端子ＣＮＴ１が接続されている。さらに、トランジスタＴＲ５のコレクタと直流高電圧入力端子ＶＤＣとの間には抵抗素子Ｒ１が接続されている。これらＰＮＰ型トランジスタＴＲ５、抵抗素子Ｒ１，Ｒ２が本発明の第１スイッチ回路に相当する。
【００３０】
また、互いに極性の異なるＰＮＰ型トランジスタＴＲ３のエミッタとＮＰＮ型トランジスタＴＲ４のエミッタとは共通接続されて出力端子Ｂが形成されており、トランジスタＴＲ３，ＴＲ４の各ベースも共通接続されている。
【００３１】
トランジスタＴＲ３のコレクタには−２００Ｖの直流高電圧が印加される前記直流高電圧入力端子ＶＤＣが接続されており、トランジスタＴＲ４のコレクタは接地されている。
【００３２】
また、トランジスタＴＲ３のエミッタ−コレクタ間にはアノードをコレクタに接続するダイオードＤ１が設置されており、トランジスタＴＲ４のエミッタ−コレクタ間にはカソードをコレクタに接続するダイオードＤ２が設置されている。これらトランジスタＴＲ３、トランジスタＴＲ４、ダイオードＤ１、ダイオードＤ２、および出力端子Ｂとにより第２のプッシュプルエミッタフォロワ回路２を構成している。
【００３３】
共通接続されたベースは抵抗素子Ｒ４を介して、第２のプッシュプルエミッタフォロワ回路２の制御用であるＰＮＰ型トランジスタＴＲ６のコレクタに接続されている。このトランジスタＴｒ６のエミッタには、＋５Ｖの直流電圧が印加される駆動電源端子Ｖｃｃが接続されており、ベースにはコントロール端子ＣＮＴ２が接続されている。さらに、トランジスタＴＲ６のコレクタと直流高電圧入力端子ＶＤＣとの間には抵抗素子Ｒ３が接続されている。これらＰＮＰ型トランジスタＴＲ６、抵抗素子Ｒ３，Ｒ４が本発明の第２スイッチ回路に相当する。
【００３４】
そして、この呼出信号送出回路の出力端子Ａと出力端子Ｂとの間に、電話機１００が接続されている。
【００３５】
（１）コントロール端子ＣＮＴ２に０電圧のコントロール信号を入力する場合
コントロール端子ＣＮＴ２に０電圧のコントロール信号が入力されると、トランジスタＴＲ６がオン状態となるので、トランジスタＴＲ３がオフ状態となり、トランジスタＴＲ４がオン状態となる。この結果、出力端子Ｂと接地とが導通し、出力端子Ｂと直流高電圧入力端子ＶＤＣとの間が開放になるので、出力端子Ｂの電位は接地電位すなわち０電位となる。
【００３６】
一方、コントロール端子ＣＮＴ１には、電話機１００に呼出信号を与える際、正電圧（例えば、＋５Ｖ）と０電圧とを所定周波数（例えば、１６Ｈｚ）で繰り返す矩形波のコントロール信号が入力される。トランジスタＴＲ５はこの矩形波のコントロール信号に応じてオン・オフ動作を繰り返す。
【００３７】
ここで、トランジスタＴＲ５に正電圧が入力されてオフ状態になると、トランジスタＴＲ１がオン状態となり、トランジスタＴＲ２がオフ状態となる。この結果、出力端子Ａは直流高電圧入力端子ＶＤＣと導通し、出力端子Ａに−２００Ｖの直流電圧が供給される。一方、トランジスタＴＲ５に０電圧が入力されてオン状態になると、トランジスタＴＲ１がオフ状態となり、トランジスタＴＲ２がオン状態となる。この結果、出力端子Ａは接地され、出力端子Ａに０電圧が供給されることとなる。
【００３８】
すなわち、コントロール端子ＣＮＴ１に前記矩形波のコントロール信号が入力されることにより、出力端子Ａからは、前記コントロール信号と略同じ周波数で−２００Ｖと０Ｖとを繰り返す矩形波が出力される。ここで、出力端子Ｂは常時接地されている（０電圧である）ので、結果として出力端子Ａ−Ｂ間には電位差２００Ｖと０Ｖとを繰り返す呼出信号が供給されることとなる。
【００３９】
図２は前記構成の呼出信号送出回路でコントロール端子ＣＮＴ２に０電圧を入力した場合の出力端子Ａおよび出力端子Ｂの出力電圧波形図である。なお、本波形図に示す特性の観測に当たり直流高電圧入力端子ＶＤＣに印加した電圧は−１７５Ｖとした。
図２に示すように、本発明の構成を用いることで、出力端子Ａ，Ｂから出力される両方の出力電圧波形が崩れない。すなわち、第２プッシュプルエミッタフォロワ回路２のトランジスタＴＲ３のエミッタ−コレクタ間にコレクタ側をアノードとするダイオードＤ１を接続し、トランジスタＴＲ４のエミッタ−コレクタ間にコレクタ側をカソードとするダイオードＤ２を接続することで、出力端子Ａ，Ｂから出力される出力電圧の差分値である呼出信号の波形の崩れ、すなわち呼出信号の歪みを防止することができる。
【００４０】
（２）コントロール端子ＣＮＴ２に正電圧のコントロール信号を入力する場合
コントロール端子ＣＮＴ２に正電圧のコントロール信号が入力されると、トランジスタＴＲ６がオフ状態となる。これに応じて、トランジスタＴＲ３がオン状態となり、トランジスタＴＲ４がオフ状態となる。この結果、出力端子Ｂと直流高電圧入力端子ＶＤＣとが導通し、出力端子Ｂの電位は−２００Ｖで一定となる。一方、コントロール端子ＣＮＴ１には前述の（１）の場合と同じ矩形波のコントロール信号が入力されているので、出力端子Ａからは−２００Ｖと０Ｖとを繰り返す矩形波が出力される。この結果、出力端子Ａ−Ｂ間には電位差２００Ｖと０Ｖとを繰り返す呼出信号が供給されることとなる。
【００４１】
図３は前記構成の呼出信号送出回路でコントロール端子ＣＮＴ２に正電圧を入力した場合の出力端子Ａおよび出力端子Ｂの出力電圧波形図である。なお、本波形図に示す特性の観測に当たり直流高電圧入力端子ＶＤＣに印加した電圧は−１７５Ｖとした。
【００４２】
図３に示すように、本発明の構成を用いることで、出力端子Ａ，Ｂから出力される両方の出力電圧波形が崩れない。すなわち、第２プッシュプルエミッタフォロワ回路２のトランジスタＴＲ３のエミッタ−コレクタ間にコレクタ側をアノードとするダイオードを接続し、トランジスタＴＲ４のエミッタ−コレクタ間にコレクタ側をカソードとするダイオードを接続することで、出力端子Ａ，Ｂから出力される出力電圧の差分値である呼出信号の波形の崩れ、すなわち呼出信号の歪みを防止することができる。
【００４３】
これにより、電話機には歪みのない呼出信号が入力されるので、呼出信号の歪みによる表示制御の不具合を防止することができる。
【００４４】
なお、前述の実施形態では、第２プッシュプルエミッタフォロワ回路２の２つのトランジスタＴＲ３，ＴＲ４の両方のエミッタ−コレクタ間にダイオードＤ１，Ｄ２を接続したが、少なくともこれらのいずれか一方を接続することで、前述の効果を得ることができる。
【００４５】
ここで、コントロール端子ＣＮＴ２に正電圧のコントロール信号を入力する場合には、コレクタが直流高電圧入力端子ＶＤＣに接続されているトランジスタＴＲ３にダイオードＤ１を接続することで波形の崩れが防止される。ここで、波形の崩れの原因は、正電圧のコントロール信号を入力した場合、電話機１００が誘導性となり、逆起電力が発生してトランジスタＴＲ３のエミッタ側のＢ点電位がトランジスタＴＲ３のコレクタ側の電位（直流高電圧入力端子ＶＤＣの電位）よりも低くなるためと考えられる。このため、トランジスタＴＲ３のエミッタ−コレクタ間にダイオードＤ１を接続することで、この逆起電力がダイオードＤ１によりバイパスされるため、波形の崩れが防止される。さらに、この場合には、トランジスタＴＲ３に逆電圧が印加されるので、高電圧の印加によるトランジスタＴＲ３の破壊を防止することができる。このため、この場合は少なくともコレクタが直流高電圧入力端子ＶＤＣに接続されているトランジスタＴＲ３にダイオードＤ１を接続すればよい。
【００４６】
一方、コントロール端子ＣＮＴ２に０電圧の制御信号を入力する場合には、コレクタが接地されているトランジスタＴＲ４にダイオードＤ２を接続することで波形の崩れが防止されることが実験的に判明している（図２、図５参照）。このため、この場合は少なくともコレクタが接地されているトランジスタＴＲ４にダイオードＤ２を接続すればよい。
【００４７】
また、前述の実施形態では、第２のプッシュプルエミッタフォロワ回路２のトランジスタにのみダイオードを接続したが、第１のプッシュプルエミッタフォロワ回路１の各トランジスタに同様にダイオードを接続してもよい。さらに、両方のプッシュプルエミッタフォロワ回路のトランジスタＴＲにダイオードを接続してもよい。すなわち、４つのトランジスタＴＲの少なくとも１つにダイオードが接続されていればよい。
【図面の簡単な説明】
【００４８】
【図１】本発明の実施形態に係る呼出信号送出回路の等価回路図
【図２】図１に示す呼出信号送出回路でコントロール端子ＣＮＴ２に０電圧を入力した場合の出力端子Ａおよび出力端子Ｂの出力電圧波形図
【図３】図１に示す呼出信号送出回路でコントロール端子ＣＮＴ２に正電圧（＋５Ｖ）を入力した場合の出力端子Ａおよび出力端子Ｂの出力電圧波形図
【図４】従来の呼出信号送出回路の等価回路図
【図５】図４に示す呼出信号送出回路でコントロール端子ＣＮＴ２に０電圧を入力した場合の出力端子Ａおよび出力端子Ｂの出力電圧波形図
【図６】図４に示す呼出信号送出回路でコントロール端子ＣＮＴ２に正電圧（＋５Ｖ）を入力した場合の出力端子Ａおよび出力端子Ｂの出力電圧波形図
【符号の説明】
【００４９】
１−第１のプッシュプルエミッタフォロワ回路
２−第２のプッシュプルエミッタフォロワ回路
１００−電話機
Ａ−第１のプッシュプルエミッタフォロワ回路１の出力端子
Ｂ−第２のプッシュプルエミッタフォロワ回路２の出力端子
ＴＲ１〜ＴＲ６−トランジスタ
Ｄ１，Ｄ２−ダイオード
Ｒ１〜Ｒ４−抵抗素子
Ｖｃｃ−駆動電源端子
ＶＤＣ−直流高電圧入力端子
ＣＮＴ１，ＣＮＴ２−コントロール端子
【図１】
2005109656.tif 000003
【図２】
2005109656.tif 000004
【図３】
2005109656.tif 000005
【図４】
2005109656.tif 000006
【図５】
2005109656.tif 000007
【図６】
2005109656.tif 000008